(57)【要約】  撮影条件を指定したユーザの意図を尊重しつつ、表現の幅が狭められてしまうことを防止することを目的として、本発明に係る画像取得装置（１）は、画像データを取得する撮像部（２）と、撮影条件および現像条件を含む複数のパラメータの組合せからなる複数パラメータセットを記憶している設定記憶部（４）と、撮像部（２）による画像データの取得時におけるユーザによる撮影条件に関連するいずれかのパラメータの基準パラメータからの変更を取得する変更取得部（５）と、変更取得部（５）によりパラメータの変更が取得された場合に、変更されたパラメータの変更を含むパラメータセットを除外し残りのパラメータセットを抽出するパラメータ抽出部（１２）と、パラメータ抽出部（１２）により抽出されたパラメータセットを用いて撮像部（２）により取得された画像データを現像する現像部（７）とを備える。
2018047293.tif 000002
【特許請求の範囲】
【請求項１】
画像データを取得する撮像部と、
撮影条件および現像条件を含む複数のパラメータの組合せからなる複数のパラメータセットを記憶している設定記憶部と、
前記撮像部による前記画像データの取得時におけるユーザによる前記撮影条件に関連するいずれかの前記パラメータの基準パラメータからの変更を取得する変更取得部と、
該変更取得部により前記パラメータの変更が取得された場合に、変更された前記パラメータの変更を含む前記パラメータセットを除外し残りの前記パラメータセットを抽出するパラメータ抽出部と、
該パラメータ抽出部により抽出された前記パラメータセットを用いて前記撮像部により取得された前記画像データを現像する現像部とを備える画像取得装置。
【請求項２】
前記パラメータ抽出部により抽出された前記パラメータセットを提示し前記ユーザに選択させる設定選択部を備える請求項１に記載の画像取得装置。
【請求項３】
前記パラメータ抽出部により抽出された前記パラメータセットを用いて前記画像データを現像した場合の効果を示す画像を提示し、前記ユーザに選択させる設定選択部を備える請求項１に記載の画像取得装置。
【請求項４】
前記設定記憶部に記憶されている前記パラメータが階層構造を有し、
前記変更取得部が、いずれかの前記パラメータの変更を取得した場合に、前記パラメータ抽出部が、取得された前記パラメータよりも上の階層に含まれるいずれかの前記パラメータの変更を含む前記パラメータセットを除外する請求項１に記載の画像取得装置。
【請求項５】
前記画像データにおける被写体またはシーンの種別を認識する種別認識部を備え、
前記設定記憶部が、被写体またはシーンの種別毎に分類して前記パラメータセットを記憶し、
前記パラメータ抽出部が、前記種別認識部により認識された被写体またはシーンの種別に一致する分類に属する前記パラメータセットの中から、提示する前記パラメータセットを抽出する請求項１に記載の画像取得装置。
【請求項６】
撮影条件および現像条件を含む複数のパラメータの組合せからなる複数のパラメータセットを記憶している設定記憶部と、
ユーザによるいずれかの前記パラメータの基準パラメータからの変更を取得する変更取得部と、
該変更取得部により前記パラメータの変更が取得された場合に、変更された前記パラメータの変更を含む前記パラメータセットを除外し残りの前記パラメータセットを抽出するパラメータ抽出部と、
該パラメータ抽出部において抽出された前記パラメータセットを用いて画像データを現像する現像部とを備える画像処理装置。
【請求項７】
ユーザによるいずれかのパラメータの基準パラメータからの変更を取得する変更取得ステップと、
該変更取得ステップにより前記パラメータの変更が取得された場合に、記憶されている撮影条件および現像条件を含む複数の前記パラメータの組合せからなる複数のパラメータセットの内、変更された前記パラメータの変更を含む前記パラメータセットを除外し残りの前記パラメータセットを抽出するパラメータ抽出ステップと、
該パラメータ抽出ステップにおいて抽出された前記パラメータセットにより画像データを現像する現像ステップとを含む画像処理方法。
【請求項８】
ユーザによるいずれかのパラメータの基準パラメータからの変更を取得する変更取得処理と、
該変更取得処理により前記パラメータの変更が取得された場合に、記憶されている撮影条件および現像条件を含む複数の前記パラメータの組合せからなる複数のパラメータセットの内、変更された前記パラメータの変更を含む前記パラメータセットを除外し残りの前記パラメータセットを抽出するパラメータ抽出処理と、
該パラメータ抽出処理において抽出された前記パラメータセットにより画像データを現像する現像処理とをコンピュータに実行させる画像処理プログラム。
【請求項９】
画像データを取得する撮像装置と、
該撮像装置と通信可能な画像処理装置とを備え、
前記撮像装置が、取得された前記画像データを記憶する画像記憶部と、該画像記憶部に記憶された前記画像データを現像する現像部とを備え、
前記画像処理装置が、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、
前記現像部が、前記パラメータ抽出部において抽出された前記パラメータセットを用いて前記撮像装置により取得された前記画像データを現像する画像取得システム。
【請求項１０】
画像データを取得する撮像部と、該撮像部により取得された前記画像データを記憶する画像記憶部と、該画像記憶部に記憶された前記画像データを現像する現像部とを備える撮像装置と通信可能な画像処理装置であって、
撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、
該パラメータ抽出部により抽出された前記パラメータセットが、前記撮像部により取得された前記画像データの現像に用いられる画像処理装置。
【請求項１１】
画像データを取得する撮像装置と、
撮影条件および現像条件を含む複数のパラメータの組合せからなる複数のパラメータセットを記憶している設定記憶装置と、
前記撮像装置および前記設定記憶装置と通信可能な画像処理装置とを備え、
前記撮像装置が、取得された前記画像データを記憶する画像記憶部と、該画像記憶部に記憶された前記画像データを現像する現像部とを備え、
前記画像処理装置が、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、
前記現像部が、前記パラメータ抽出部において抽出された前記パラメータセットを用いて前記撮像装置により取得された前記画像データを現像する画像取得システム。
【請求項１２】
画像データを取得する撮像部と、該撮像部により取得された前記画像データを記憶する画像記憶部と、該画像記憶部に記憶された前記画像データを現像する現像部とを備える撮像装置、および撮影条件と現像条件とを含む複数のパラメータの組合せからなる複数のパラメータセットを記憶している設定記憶装置と、通信可能な画像処理装置であって、
前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、
該パラメータ抽出部により抽出された前記パラメータセットが、前記撮像部により取得された前記画像データの現像に用いられる画像処理装置。
【請求項１３】
画像データを取得する撮像装置、前記画像データを現像する現像装置、および画像処理装置がそれぞれ相互に通信可能であり、
前記撮像装置が、前記画像データを取得する撮像部と、取得された前記画像データを記憶する画像記憶部を備え、
前記画像処理装置が、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、
前記現像装置が、前記パラメータ抽出部により抽出された前記パラメータセットを用いて前記撮像部により取得された前記画像データを現像する画像取得システム。
【請求項１４】
画像データを取得する撮像装置と、前記画像データを現像する現像装置と通信可能な画像処理装置であって、
前記撮像装置が、前記画像データを取得する撮像部と、取得された前記画像データを記憶する画像記憶部とを備え、
撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、
該パラメータ抽出部により抽出された前記パラメータセットが、前記撮像装置により取得された前記画像データの現像に用いられる画像処理装置。
【発明の詳細な説明】
【技術分野】
【０００１】
本発明は、画像取得装置、画像処理装置、画像処理方法、画像処理プログラムおよび画像取得システムに関するものである。
【背景技術】
【０００２】
ユーザが撮影条件を指定したときには、指定された撮影条件を含む設定のみを抽出してユーザに提示するカメラが知られている（例えば、特許文献１参照。）。
【先行技術文献】
【特許文献】
【０００３】
【特許文献１】特許第４４９２３４５号公報
【発明の概要】
【発明が解決しようとする課題】
【０００４】
しかしながら、特許文献１のカメラでは、指定された撮影条件を含まない設定は全てユーザへの提示対象から除外されるため、ユーザによる表現の幅が狭められてしまうという不都合がある。
例えば、ユーザが露出＋１を設定した場合には、露出＋１が含まれている設定のみがユーザに提示されるため、露出＋１を含まない設定に含まれている他の撮影条件や現像条件を露出＋１と組み合わせて設定する機会が失われてしまう。【０００５】
本発明は、上述した事情に鑑みてなされたものであって、撮影条件を指定したユーザの意図を尊重しつつ、表現の幅が狭められてしまうことを防止することができる画像取得装置、画像処理装置、画像処理方法、画像処理プログラムおよび画像取得システムを提供することを目的としている。
【課題を解決するための手段】
【０００６】
本発明の一態様は、画像データを取得する撮像部と、撮影条件および現像条件を含む複数のパラメータの組合せからなる複数のパラメータセットを記憶している設定記憶部と、前記撮像部による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部と、該パラメータ抽出部により抽出された前記パラメータセットを用いて前記撮像部により取得された前記画像データを現像する現像部とを備える画像取得装置である。【０００７】
本態様によれば、ユーザが撮像部により画像データを取得する際に、撮影条件に関連するいずれかのパラメータを基準パラメータから変更して撮影を行うと、変更取得部によって取得時に行われたパラメータの変更が取得され、パラメータ抽出部において、設定記憶部に記憶されている複数のパラメータセットの中から、変更が取得されたパラメータの変更を含まないパラメータセットのみが抽出される。抽出されたパラメータセットを用いて撮像部により取得された画像データを現像することにより、パラメータを変更した場合に取得される画像の視覚的効果についての気づきを与え、表現の幅を広げることができる。【０００８】
上記態様においては、前記パラメータ抽出部により抽出された前記パラメータセットを提示し前記ユーザに選択させる設定選択部を備えていてもよい。
このようにすることで、設定選択部によって提示されたパラメータセットの中からユーザがいずれかのパラメータセットを選択した場合には、選択されたパラメータセットを用いて撮像部により取得された画像データが現像される。【０００９】
すなわち、ユーザに提示するパラメータセットから、ユーザによって変更されたパラメータの変更を含むパラメータセットを除外することで、ユーザにより変更されたパラメータについてはユーザの意図を尊重して変更させないこととし、それ以外のパラメータセットを変更して現像した画像を提示することにより、ユーザが自ら変更したパラメータに加えて他のパラメータを変更した場合に取得される画像の視覚的効果についての気づきを与え、ユーザによる表現の幅を広げることができる。【００１０】
また、上記態様においては、前記パラメータ抽出部により抽出された前記パラメータセットを用いて前記画像データを現像した場合の効果を示す画像を提示し、前記ユーザに選択させる設定選択部を備えていてもよい。
このようにすることで、設定選択部により抽出されたパラメータセットにより現像された画像データを選択前に直接確認でき、ユーザによる選択を容易にすることができる。【００１１】
また、上記態様においては、前記設定記憶部に記憶されている前記パラメータが階層構造を有し、前記変更取得部が、いずれかの前記パラメータの変更を取得した場合に、前記パラメータ抽出部が、取得された前記パラメータよりも上の階層に含まれるいずれかの前記パラメータの変更を含む前記パラメータセットを除外してもよい。
このようにすることで、パラメータよりも上の階層に含まれるいずれかのパラメータは同種の効果を与えるパラメータであり、上の階層に含まれるパラメータを変更するパラメータセットを除外することで、ユーザの意図をより尊重したパラメータセットのみを提示することができる。【００１２】
また、上記態様においては、前記画像データにおける被写体またはシーンの種別を認識する種別認識部を備え、前記設定記憶部が、被写体またはシーンの種別毎に分類して前記パラメータセットを記憶し、前記パラメータ抽出部が、前記種別認識部により認識された被写体またはシーンの種別に一致する分類に属する前記パラメータセットの中から、提示する前記パラメータセットを抽出してもよい。
このようにすることで、パラメータセットが多数存在する場合であっても、画像データの被写体またはシーンの種別に一致する分類に属するパラメータセットに絞って抽出し提示することができ、ユーザによる選択を容易にすることができる。【００１３】
また、本発明の他の態様は、撮影条件および現像条件を含む複数のパラメータの組合せからなる複数のパラメータセットを記憶している設定記憶部と、ユーザによるいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部と、該パラメータ抽出部において抽出された前記パラメータセットを用いて画像データを現像する現像部とを備える画像処理装置である。【００１４】
本態様によれば、ユーザにより、いずれかのパラメータについて行われた基準パラメータからの変更が、変更取得部によって取得され、パラメータ抽出部において、設定記憶部に記憶されている複数のパラメータセットの中から、変更が取得されたパラメータの変更を含まないパラメータセットのみが抽出される。抽出されたパラメータセットを用いて撮像部により取得された画像データを現像することにより、パラメータを変更した場合に取得される画像の視覚的効果についての気づきを与え、表現の幅を広げることができる。【００１５】
また、本発明の他の態様は、ユーザによるいずれかのパラメータの基準パラメータからの変更を取得する変更取得ステップと、該変更取得ステップにより前記パラメータの変更が取得された場合に、記憶されている撮影条件および現像条件を含む複数の前記パラメータの組合せからなる複数のパラメータセットの内、変更された前記パラメータの変更を含む前記パラメータセットを除外し残りの前記パラメータセットを抽出するパラメータ抽出ステップと、該パラメータ抽出ステップにおいて抽出された前記パラメータセットにより画像データを現像する現像ステップとを含む画像処理方法である。【００１６】
また、本発明の他の態様は、ユーザによるいずれかのパラメータの基準パラメータからの変更を取得する変更取得処理と、該変更取得処理により前記パラメータの変更が取得された場合に、記憶されている撮影条件および現像条件を含む複数の前記パラメータの組合せからなる複数のパラメータセットの内、変更された前記パラメータの変更を含む前記パラメータセットを除外し残りの前記パラメータセットを抽出するパラメータ抽出処理と、該パラメータ抽出処理において抽出された前記パラメータセットにより画像データを現像する現像処理とをコンピュータに実行させる画像処理プログラムである。【００１７】
また、本発明の他の態様は、画像データを取得する撮像装置と、該撮像装置と通信可能な画像処理装置とを備え、前記撮像装置が、取得された前記画像データを記憶する画像記憶部と、該画像記憶部に記憶された前記画像データを現像する現像部とを備え、前記画像処理装置が、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、前記現像部が、前記パラメータ抽出部において抽出された前記パラメータセットを用いて前記撮像装置により取得された前記画像データを現像する画像取得システムである。【００１８】
本態様によれば、ユーザが撮像装置により画像データを取得する際に、撮影条件に関連するいずれかのパラメータを基準パラメータから変更して撮影を行うと、撮影情報が通信によって画像処理装置に送られ、画像処理装置の変更取得部によって取得時に行われたパラメータの変更が取得され、パラメータ抽出部において、設定記憶部に記憶されている複数のパラメータセットの中から、変更が取得されたパラメータの変更を含まないパラメータセットのみが抽出される。抽出されたパラメータセットを用いて撮像装置により取得された画像データが、撮像装置に備えられた現像部により現像される。【００１９】
すなわち、パラメータを変更した場合に取得される画像の視覚的効果についての気づきを与え、表現の幅を広げることができる。また、撮像装置によって取得された大容量の画像データを通信によって画像処理装置に送信する必要がなく、処理時間の短縮を図ることができる。【００２０】
また、本発明の他の態様は、画像データを取得する撮像部と、該撮像部により取得された前記画像データを記憶する画像記憶部と、該画像記憶部に記憶された前記画像データを現像する現像部とを備える撮像装置と通信可能な画像処理装置であって、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、該パラメータ抽出部により抽出された前記パラメータセットが、前記撮像部により取得された前記画像データの現像に用いられる画像処理装置である。【００２１】
また、本発明の他の態様は、画像データを取得する撮像装置と、撮影条件および現像条件を含む複数のパラメータの組合せからなる複数のパラメータセットを記憶している設定記憶装置と、前記撮像装置および前記設定記憶装置と通信可能な画像処理装置とを備え、前記撮像装置が、取得された前記画像データを記憶する画像記憶部と、該画像記憶部に記憶された前記画像データを現像する現像部とを備え、前記画像処理装置が、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、前記現像部が、前記パラメータ抽出部において抽出された前記パラメータセットを用いて前記撮像装置により取得された画像データを現像する画像取得システムである。【００２２】
本態様によれば、ユーザが撮像装置により画像データを取得する際に、撮影条件に関連するいずれかのパラメータを基準パラメータから変更して撮影を行うと、撮影情報が通信によって画像処理装置に送られ、画像処理装置の変更取得部によって取得時に行われたパラメータの変更が取得される。また、画像処理装置は、設定記憶装置に記憶されている複数のパラメータセットを通信によって読み出して、変更が取得されたパラメータの変更を含まないパラメータセットのみを抽出する。抽出されたパラメータセットを用いて撮像装置により取得された画像データが、撮像装置に備えられた現像部により現像される。【００２３】
また、本発明の他の態様は、画像データを取得する撮像部と、該撮像部により取得された前記画像データを記憶する画像記憶部と、該画像記憶部に記憶された前記画像データを現像する現像部とを備える撮像装置、および撮影条件と現像条件とを含む複数のパラメータの組合せからなる複数のパラメータセットを記憶している設定記憶装置と、通信可能な画像処理装置であって、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、該パラメータ抽出部により抽出された前記パラメータセットが、前記撮像部により取得された前記画像データの現像に用いられる画像処理装置である。【００２４】
また、本発明の他の態様は、画像データを取得する撮像装置、前記画像データを現像する現像装置、および画像処理装置がそれぞれ相互に通信可能であり、前記撮像装置が、前記画像データを取得する撮像部と、取得された前記画像データを記憶する画像記憶部を備え、前記画像処理装置が、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、前記現像装置が、前記パラメータ抽出部により抽出された前記パラメータセットを用いて前記撮像部により取得された前記画像データを現像する画像取得システムである。【００２５】
本態様によれば、ユーザが撮像装置により画像データを取得する際に、撮影条件に関連するいずれかのパラメータを基準パラメータから変更して撮影を行うと、撮影情報が通信によって画像処理装置に送られ、画像処理装置の変更取得部によって取得時に行われたパラメータの変更が取得される。また、画像処理装置は、設定記憶部に記憶されている複数のパラメータセットを読み出して、変更が取得されたパラメータの変更を含まないパラメータセットのみを抽出する。抽出されたパラメータセットを用いて撮像装置により取得された画像データが、現像装置により現像される。【００２６】
また、本発明の他の態様は、画像データを取得する撮像装置と、前記画像データを現像する現像装置と通信可能な画像処理装置であって、前記撮像装置が、前記画像データを取得する撮像部と、取得された前記画像データを記憶する画像記憶部とを備え、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更を含む前記パラメータセットを除外し残りの前記パラメータセットを抽出するパラメータ抽出部とを備え、該パラメータ抽出部により抽出された前記パラメータセットが、前記撮像装置により取得された前記画像データの現像に用いられる画像処理装置である。
【発明の効果】
【００２７】
本発明によれば、撮影条件を指定したユーザの意図を尊重しつつ、表現の幅が狭められてしまうことを防止することができるという効果を奏する。
【図面の簡単な説明】
【００２８】
【図１】本発明の一実施形態に係る画像取得装置を示す全体構成図である。
【図２】図１の画像取得装置の設定記憶部に記憶されるパラメータセットの例を示す図である。
【図３】図１の画像取得装置において抽出されたパラメータセットを提示する表示例を示す図である。
【図４】図３の表示例において１つのパラメータセットを選択した表示例を示す図である。
【図５】図２のパラメータセットを階層構造で記憶している一例を示す図である。
【図６】図２のパラメータセットを階層構造で記憶している他の例を示す図である。
【図７】図１の画像取得装置において抽出されたパラメータセットを提示する他の表示例を示す図である。
【図８】図１の画像取得装置の変形例を示す全体構成図である。
【図９】本発明の一実施形態に係る画像取得システムを示す全体構成図である。
【図１０】図９の画像取得システムに備えられる画像処理装置による画像処理方法を説明するフローチャートである。
【図１１】図９の画像取得システムに備えられる画像処理装置の変形例を示す全体構成図である。
【図１２】図９の画像取得システムの変形例を示す全体構成図である。
【図１３】図９の画像取得システムの他の変形例を示す全体構成図である。
【発明を実施するための形態】
【００２９】
以下、本発明の一実施形態に係る画像取得装置１について、図面を参照して以下に説明する。
本実施形態に係る画像取得装置１は、図１に示されるように、被写体の画像データを取得する撮像部２と、撮像部２から送られてきた画像データを記憶する画像記憶部３と、撮影条件および現像条件を含む複数のパラメータの組合せからなる複数のパラメータセットを記憶している設定記憶部４と、撮像部２による画像データの取得時におけるユーザによる撮影条件に関連するいずれかのパラメータの基準パラメータからの変更を取得する変更取得部５と、変更取得部５によりパラメータの変更が取得された場合に、変更されたパラメータの変更を含むパラメータセットを除外し残りのパラメータセットを抽出するパラメータ抽出部１２と、パラメータ抽出部１２により抽出されたパラメータセットを提示しユーザに選択させる設定選択部６と、設定選択部６においてユーザにより選択されたパラメータセットにより撮像部２により取得された画像データを現像する現像部７と、画像を表示する表示部８と、これらを制御する制御部９とを備えている。また、画像取得装置１は、撮影に際してユーザが撮影条件を切り替えるための操作を行う切替入力部１０を備えている。
【００３０】
撮像部２は、被写体からの光を集光する撮影レンズ（図示略）と、該撮影レンズによって集光された光を撮影して画像データを取得するＣＣＤ等の撮像素子（図示略）とを備えている。ユーザは撮影に先立って、切替入力部１０を操作することなくオート設定（基準パラメータ）によって撮影を行うこともでき、切替入力部１０を操作していずれかの撮影条件を変更して撮影を行うこともできるようになっている。
【００３１】
変更取得部５は、切替入力部１０の操作によるパラメータの変更を検出してもよいが、ここでは、取得された画像データに対応づけて記憶された変更されたパラメータによって、パラメータの変更を検出するようになっている。
設定選択部６は、オート設定のままで撮影が行われた場合には作動せず、切替入力部１０の操作によって撮影条件に関する何らかのパラメータが変更されたことが変更取得部５により検出された場合に作動するようになっている。
また、シャッターを押して画像を撮影しなくても、ライブビューで画像を確認している状態でのパラメータ変更を検出しても良い。
【００３２】
例えば、設定記憶部４に、図２に示される複数のパラメータセットが記憶されている場合について説明する。図２に示す例では、最左欄がパラメータセット名であり、撮影条件に関連するパラメータとして、露出およびホワイトバランス（ＷＢ）、現像条件に関連するパラメータとして、トーンカーブ、彩度、アートフィルタ（ＡＲＴ）、アスペクトおよび配置が含まれている。
【００３３】
この場合において、ユーザが撮影の際に、例えば、ホワイトバランスとして１５００Ｋ色温度を下げて撮影した場合には、変更取得部５により、その変更が検出され、パラメータ抽出部１２が作動させられるようになっている。
この例では、パラメータ抽出部１２は、設定記憶部４に記憶されているパラメータセットの中から、ホワイトバランスを変更しているＲ−００１、および、アートフィルタにホワイトバランスの変更が含まれるＲ−００２およびＲ−００３を除外し、残りのパラメータセットであるＲ−００４からＲ−００９までを抽出する。そして、設定選択部６がパラメータ抽出部１２により抽出されたＲ−００４からＲ−００９を提示するようになっている。
【００３４】
設定選択部６は、抽出されたパラメータセットを表示部８に提示して、いずれかのパラメータセットをユーザに選択させるようになっている。例えば、ＧＵＩによって実現されている。
【００３５】
さらに具体的には、ユーザがいずれかの撮影条件を変更して撮影を行った場合には、図３に示されるように、取得された元画像が表示部８に表示されるとともに、パラメータ抽出部１２により抽出されたパラメータセットの現像条件が設定選択部６によって表示部８に提示されるようになっている。
図３に示す例では、パラメータセットＲ−００４からＲ−００７までの現像条件が表示されているが、画面をスクロールさせることで、他のパラメータセットＲ−００８，Ｒ−００９についても表示することができるようになっている。
パラメータセットの現像条件の提示の仕方としては、元画像の縮小画像に対して現像条件を適用した場合の効果を示すサムネイルを表示してもよい。
【００３６】
ユーザは、表示部８上においていずれかのパラメータセットを選択することができ、例えば、図４に示されるように、パラメータセットＲ−００５が選択された場合には、選択されたパラメータセットＲ−００５を用いて現像部７による現像が行われ、元画像に代えて、表示部８に表示されるようになっている。
【００３７】
このように構成された本実施形態に係る画像取得装置１によれば、ユーザが撮影時に撮影条件を変更した場合には、当該撮影条件の変更を含むパラメータセットが除外され残りのパラメータセットが提示されるので、ユーザにより変更されたパラメータについてはユーザの意図を尊重して変更させないことにより、ユーザが自ら変更したパラメータに加えて他のパラメータを変更した場合に取得される画像の視覚的効果についての気づきを与え、ユーザによる表現の幅を広げることができるという利点がある。
【００３８】
すなわち、従来、ユーザが撮影時に撮影条件を変更した場合には、変更された撮影条件に一致する撮影条件が含まれるパラメータセットのみが提示されるため、図２の例では、例えば、ユーザがホワイトバランスとして２０００Ｋ色温度を下げて撮影した場合には、パラメータセットＲ−００１のみが提示される。
これでは、ホワイトバランスの調整に加えて、トーンカーブ、アートフィルタ、アスペクト比および配置のような他の現像条件を調整した場合の画像における視覚的効果について、ユーザが認識する機会が与えられず、表現の幅を広げることができない。
【００３９】
これとは逆に、本実施形態に係る画像取得装置１によれば、ユーザによる撮影条件の変更を前提として、他の現像条件を加えた場合に取得される画像の視覚的効果をユーザが確認する機会を与えることができる。
ユーザは選択されたパラメータセットによって現像された、表示部８に表示された画像を採用したい場合には、お気に入りに追加して記憶することにより、以後の撮影時に読み出して撮影を行うことができる。
【００４０】
なお、本実施形態においては、パラメータセットを選択せず、抽出されたパラメータセットのすべての現像条件で現像をおこなってもよい。この場合、パラメータセットをユーザが選択しないため、設定選択部６は不要である。
【００４１】
また、撮影条件毎に、撮影時に変更された撮影条件に一致する撮影条件が変更されるパラメータセットを選択対象から除外することとしたが、これに代えて、図５に示されるように、設定記憶部４に記憶されるパラメータセットの各パラメータが階層構造を有することとし、いずれかのパラメータの変更が検出された場合には、その上位階層に含まれるいずれかのパラメータを変更するパラメータセットを除外することとしてもよい。
【００４２】
具体的には、図５に示す例では、「トーンカーブ」と「露出」とは「明るさ」という上位階層のパラメータに包含され、「彩度」と「ホワイトバランス」は「色」という上位階層のパラメータに包含され、「アスペクト」と「配置」は「構図」とう上位階層に包含されることにしてもよい。
このようにすることで、例えば、上記と同様にして、ユーザが撮影時にホワイトバランスを変更した場合には、ホワイトバランスの変更を含むパラメータセットＲ−００１からＲ−００３に加え、彩度の変更を含むパラメータセットＲ−００７についても選択対象から除外される。
【００４３】
階層構造は、上記２層構造に限定されるものではなく、例えば、図６に示されるように、上記の「明るさ」と「色」および「ＡＲＴ」を「雰囲気」という上位階層に含めた３層構造に構成してもよい。
また、階層構造のどの階層までを除外するかについては、ユーザが設定できることにしてもよい。
【００４４】
また、本実施形態においては、パラメータ抽出部１２において抽出されたパラメータセットについては、当該パラメータセットに含まれる現像条件そのものを表示部８に表示することとしたが、これに代えて、図７に示されるように、パラメータ抽出部１２において抽出された各パラメータセットによって元画像を現像した画像を、選択するための画像として表示することにしてもよい。設定選択部６において提示された画像を選択させ、選択されたときには拡大して表示することにすればよい。
【００４５】
また、本実施形態においては、図８に示されるように、パラメータセットが、被写体またはシーンの種別毎に分類して設定記憶部４に記憶されており、撮像部２により取得された画像を処理して被写体およびシーンの種別を認識する種別認識部１１を備え、パラメータ抽出部１２が、認識された種別に一致する分類に属するパラメータセットのみを抽出してもよい。
このようにすることで、パラメータセットが多数記憶されている場合に、ユーザの要求するパラメータセットに絞り込んで提示することにより、選択を容易にすることができる。
【００４６】
また、本実施形態においては、パラメータ抽出部１２において抽出された全てのパラメータセットを提示することとしたが、ランダム、あるいは過去の選択履歴や過去の出現頻度などに基づいて間引いて提示することにしてもよい。
【００４７】
次に、本発明の一実施形態に係る画像処理装置３０、画像取得システム１００および画像処理方法について、図面を参照して以下に説明する。
本実施形態の説明において、上述した一実施形態に係る画像取得装置１と構成を共通とする箇所には同一符号を付して説明を省略する。
【００４８】
本実施形態に係る画像取得システム１００は、図９に示されるように、撮像装置２０と画像処理装置３０とを備えている。
撮像装置２０は、図９に示されるように、撮像部２と、撮影条件を設定する切替入力部１０とを備えている。
【００４９】
撮像装置２０により取得された画像データは、切替入力部１０において入力された撮影条件の変更と対応づけられて、通信により、あるいは記憶媒体を経由して画像処理装置３０に入力することができるようになっている。
画像処理装置３０は、画像記憶部３と、設定記憶部４と、変更取得部５と、パラメータ抽出部１２と、設定選択部６と、現像部７と、表示部８と、制御部９とを備えている。各部の機能については、上記画像取得装置１と同様である。
撮像装置２０は、通信機能付きのデジタルカメラやスマートフォンなどを利用し、画像処理装置３０側のみに本発明を適用した装置としてもよい。
【００５０】
このように構成された本実施形態に係る画像処理装置３０を用いた画像処理方法について、以下に説明する。
本実施形態に係る画像処理方法は、図１０に示されるように、変更取得ステップＳ１と、パラメータ抽出ステップＳ２と、設定選択ステップＳ３と、現像ステップＳ４とを含んでいる。
【００５１】
変更取得ステップＳ１においては、通信によりあるいは記憶媒体を経由して撮影条件の変更が対応づけられた画像データが画像記憶部３に入力されたときに、変更取得部５により、画像データに対応づけられた撮影時の撮影条件の変更が取得される。
パラメータ抽出ステップＳ２においては、設定記憶部４に記憶されているパラメータセットの中から、ユーザにより変更されたパラメータの変更を含むパラメータセットが除外され、残りのパラメータセットが抽出される。抽出されたパラメータセットは設定選択部６により表示部８に掲示される。
【００５２】
そして、設定選択ステップＳ３においては、パラメータ抽出ステップＳ２により抽出されたパラメータセットがユーザによって選択され、現像ステップＳ４においては、設定選択ステップＳ３においてユーザにより選択されたパラメータセットにより画像データが現像される。
【００５３】
このように、本実施形態に係る画像取得システム１００、画像処理装置３０および画像処理方法によっても、撮影条件を指定したユーザの意図を尊重しつつ、表現の幅が狭められてしまうことを防止することができるという利点がある。
【００５４】
なお、本実施形態においては、撮像装置２０による撮影の際にユーザが撮影条件をオート設定から変更した場合に、その変更を検出して提示するパラメータセットを抽出することとしたが、これに代えて、図１１に示されるように、画像処理装置３０に、ホワイトバランス等の撮影条件を変更する切替入力部１０を備え、オート設定で取得された画像データを受け取ってパラメータセットを抽出することとしてもよい。
【００５５】
また、上記実施形態においては、画像処理装置３０に、パラメータセットを記憶する設定記憶部４および現像部７を備えることとしたが、これに代えて、図１２に示されるように、画像処理装置３０には備えられずに、パラメータセットを記憶する設定記憶装置４０が、ネットワーク５０を介して、撮像装置２０および画像処理装置３０と接続され、撮像装置２０に制御部９、画像記憶部３および現像部７が備えられている画像取得システム１００を採用してもよい。
【００５６】
この場合、画像処理装置３０は、例えば、パーソナルコンピュータあるいは携帯端末等である。撮像装置２０および画像処理装置３０における制御部９は、各部の制御およびネットワーク５０を経由した情報の送受信を行うようになっている。
撮像装置２０において、ユーザにより撮影条件が変更されて撮影が行われることにより取得された大容量の画像データは、画像処理装置３０に送られることなく画像記憶部３に記憶され、ユーザにより変更された撮影条件に関する情報のみ、あるいは、当該情報および表示用の縮小された画像データがネットワーク５０を介して画像処理装置３０に送られる。
【００５７】
画像処理装置３０においては、上記のようにして抽出されたパラメータセットが表示部８に提示され、いずれかのパラメータセットがユーザによって選択されると、選択されたパラメータセットがネットワーク５０を介して撮像装置２０に送られ、撮像装置２０に記憶されている画像データが、送られてきたパラメータセットによって現像され、表示用に縮小された画像データが再度、画像処理装置３０に送られて表示部８に表示される。
このようにすることで、撮像装置２０によって取得された大容量の画像データを画像処理装置３０にアップロードすることなく、通信に要する時間を短縮することができる。
また、一般的な撮像装置の構成として必須である現像の専用のハードウェアを活用することによって現像時間を短縮することができる。
図１２では画像処理装置３０側に設定選択部６および表示部８を設けたが、撮像装置２０側に設定選択部６および表示部８を設け制御部９に接続するようにしてもよい。
【００５８】
また、上記実施形態においては、画像処理装置３０に、画像データを現像する現像部７を備えることとしたが、これに代えて、図１３に示されるように、画像処理装置３０には備えられずに、画像データを現像する現像装置６０が、ネットワーク５０を介して、撮像装置２０および画像処理装置３０に接続され、現像装置６０に制御部９、画像記憶部３および現像部７が備えられ、撮像装置２０に制御部９および画像記憶部３が備えられている画像取得システム１００を採用してもよい。
この場合、画像処理装置３０は、例えば、パーソナルコンピュータあるいは携帯端末等である。現像装置６０、撮像装置２０および画像処理装置３０における制御部９は、各部の制御およびネットワーク５０を経由した情報の送受信を行うようになっている。
【００５９】
画像処理装置３０においては、上記のようにして抽出されたパラメータセットが表示部８に提示され、いずれかのパラメータセットがユーザによって選択されると、選択されたパラメータセットがネットワーク５０を介して現像装置６０に送られる。そして、撮像装置２０に記憶されている画像データがネットワーク５０を介して現像装置６０に送られ、送られてきたパラメータセットによって画像データが現像され、表示用に縮小された画像データが再度、ネットワーク５０を介して現像装置６０から画像処理装置３０に送られて表示部８に表示される。
【００６０】
また、本実施形態においては、画像処理方法をハードウェアによって実現する構成について説明したが、コンピュータにより実行可能な画像処理プログラムによって実現することとしてもよい。この場合、コンピュータは、ＣＰＵ、ＲＡＭ等の主記憶装置、およびコンピュータ読み取り可能な記録媒体を備え、該記録媒体に上述した処理を実現させるための画像処理プログラムが記録される。そして、ＣＰＵが記録媒体に記録されている画像処理プログラムを読み出して、画像処理装置３０と同様の処理を実現することができる。
【００６１】
また、本実施形態においては、設定選択部６と表示部８とを画像処理装置３０側に設けているが、これに代えて、撮像装置２０側に設けて制御部９に設定選択部６および表示部８が接続されていてもよい。
【符号の説明】
【００６２】
１  画像取得装置
２  撮像部
４  設定記憶部
５  変更取得部
６  設定選択部
７  現像部
１１  種別認識部
１２  パラメータ抽出部
２０  撮像装置
３０  画像処理装置
４０  設定記憶装置
６０  現像装置
１００  画像取得システム
Ｓ１  変更取得ステップ
Ｓ２  パラメータ抽出ステップ
Ｓ３  設定選択ステップ
Ｓ４  現像ステップ
【図１】
2018047293.tif 000003
【図２】
2018047293.tif 000004
【図３】
2018047293.tif 000005
【図４】
2018047293.tif 000006
【図５】
2018047293.tif 000007
【図６】
2018047293.tif 000008
【図７】
2018047293.tif 000009
【図８】
2018047293.tif 000010
【図９】
2018047293.tif 000011
【図１０】
2018047293.tif 000012
【図１１】
2018047293.tif 000013
【図１２】
2018047293.tif 000014
【図１３】
2018047293.tif 000015
【国際調査報告】
2018047293.tif 000016
2018047293.tif 000017